(57)【要約】【課題】携帯電話装置やノートパソコンのような折り畳み式情報処理装置では、筐体を閉じると、テンキー等の操作ボタンが筐体の内側にあるためキー入力ができなかった。また、筐体の側面に操作ボタンを設けたものがあったが補助的なキー入力しかすることができなかった。【解決手段】折り畳み式情報処理装置の筐体の外面に表示手段を設けてソフトキーを表示するとともに、筐体の側面にソフトキーに対応する操作キーを設けてキー入力するように構成した。このことにより、筐体を閉じた状態であってもソフトキーを使用することができようにした。また、筐体の側面の操作キーとソフトキーの表示位置が離れているときは、ソフトキーの近くに対応する操作キーの位置を表示して使い勝手を向上した。【選択図】図２
2005110326.tif 000002
【特許請求の範囲】
【請求項１】
第一の筐体と第二の筐体とを、連結して開閉自在に支承した折り畳み式情報処理装置において、
前記第一の筐体または前記第二の筐体に設けた表示部と、
前記第一の筐体または前記第二の筐体の側面に側面キーを複数設け、
前記表示部に複数のソフトキー用アイコンを表示したときに、
前記側面キーを前記ソフトキー用アイコンに対応するソフトキーとして用いるよう構成し、
前記ソフトキー用アイコンとともに、ソフトキー用アイコンに対応する側面キーの位置を示す位置情報をそれぞれ表示するようにした折り畳み式情報処理装置。
【請求項２】
第一の筐体と第二の筐体とを連結して、前記第一の筐体に対して前記第二の筐体を水平方向に回転自在に支承した折り畳み式情報処理装置において、
前記第二の筐体に設けた表示部と、
前記第一の筐体または前記第二の筐体の側面に側面キーを複数設け、
前記表示部に複数のソフトキー用アイコンを表示したときに、
前記側面キーを前記ソフトキー用アイコンに対応するソフトキーとして用いるよう構成し、
前記ソフトキー用アイコンとともに、ソフトキー用アイコンに対応する側面キーの位置を示す位置情報をそれぞれ表示するようにした折り畳み式情報処理装置。
【請求項３】
前記表示部に表示する前記ソフトキーは、前記側面キーの位置情報とともに、前記側面キーの操作態様を表示するようにした請求項１または請求項２に記載の折り畳み式情報処理装置。
【請求項４】
前記表示部に表示する前記ソフトキーの操作態様として、長押しして使用するソフトキーと、短押しして使用するソフトキーとで異なる表示形態を表示するようにした請求項３に記載の折り畳み式情報処理装置。
【発明の詳細な説明】
【技術分野】
【０００１】
本発明は、折り畳み式携帯電話装置や、ノートパソコン、ＰＤＡ（Ｐｅｒｓｏｎａｌ  Ｄｉｇｉｔａｌ  Ａｓｓｉｓｔａｎｃｅ）のような、第一の筐体と第二の筐体を連結して開閉自在に支承した折り畳み式情報処理装置に関する。
【背景技術】
【０００２】
従来の折り畳み式携帯電話装置やノートパソコン等の折り畳み式情報処理装置は、キー入力部を第一の筐体に設け、液晶表示装置からなる表示部を第二の筐体に設けて、第一の筐体に対して第二の筐体をヒンジ等により開閉自在に支承して、キー入力時には筐体を開いて使用し、不使用時は筐体を折り畳んで携行できるようにしていた。
【０００３】
図１０に従来の折り畳み式携帯電話装置７００の第二の筐体７０２を開いた状態の外観図を示す。従来の折り畳み式携帯電話装置７００は、第一の筐体７０１と第二の筐体７０２をヒンジ部７０３で連結して両者を開閉自在に支承している。第一の筐体７０１には、電話番号を入力するテンキー７０４と、ソフトキー７０５を同一面に設け、側面に、長押しして電源をオン／オフし、通話開始または終話の入力をし、更に表示切替えを行うという複数の機能を兼ねる側面キー７０７を設けている。ここでソフトキー７０５は、第一の筐体内に搭載された図示しない制御部の制御により第二の筐体の表示部７０８に表示されるソフトキー用アイコン７１０の直下に、ソフトキー用アイコン７１０とソフトキー７０５が一対一に対応するように配置している。そして、ソフトキー用アイコン７１０に最も近いソフトキー７０５を押すことにより、ソフトキー用アイコンで特定される機能を動作させるようにしている。
【０００４】
図１１に、上記従来の携帯電話装置７００の第二の筐体７０２を閉じた状態の外観図を示す。第二の筐体７０２の外側には第二の表示部７１１を設け、第二の筐体７０２を閉じた状態であっても、時刻や着信した電話番号等を表示するようにしている。また、第二の筐体７０２を閉じた状態で側面キー７０７を押すことにより、前記第二の表示部７１１の表示内容を切り替えることができる。なお、従来のノートパソコンやＰＤＡの具体例は図示しないが、ほぼ同様の構成をしている。
【０００５】
これらの折り畳み式情報処理装置は、第二の筐体７０２を開いた状態でキー入力して使用することを基本的な使い方としており、閉じた状態では、限定的に表示された時刻等を見るという使い方ができるに過ぎなかった。そのため、第二の筐体７０２を閉じた状態では、折り畳み式情報処理装置の特定の機能を動作させるというような、より高度で複雑なキー入力を行うことができないという問題があった。
【０００６】
また、スライド式蓋体付き携帯電話で、蓋体を閉じたままソフトキーの操作を可能にする構成が提案されているが（例えば、特許文献１参照）、蓋体の外表面に表示部とソフトキーを並べて設け、蓋体をテンキーを備えた本体上でスライドさせるものであり、図１０に示したような第二の筐体７０２をヒンジ部で回転させて開閉させるタイプの折り畳み式情報処理装置に適用するには、第二の筐体７０２の外表面にソフトキーを追加しなければならないという問題があった。
【特許文献１】特開２００３−１１０６７５号公報（第２頁、第１図）
【発明の開示】
【発明が解決しようとする課題】
【０００７】
本発明は、筐体を閉じた状態でも、特定の機能を動作させるというような、より高度で複雑なキー入力が出来るようにした折り畳み式情報処理装置を提供することを目的としている。
【課題を解決するための手段】
【０００８】
本発明は、折り畳み式情報処理装置の筐体に、閉じた状態で見ることができる外部表示部と側面キーを設け、外部表示部にソフトキー用アイコンを表示したときに、側面キーをソフトキー用アイコンに対応するソフトキーとして用いるよう構成したことを最も主要な特徴とする。
【０００９】
次に本発明は、外部表示部に表示したソフトキー用アイコンとともに、ソフトキー用アイコンに対応する側面キーの位置を示す位置情報を表示するようにしたことを主要な特徴とする。
【００１０】
また本発明は、側面キーを複数設け、外部表示部に表示する側面キーの位置情報として、側面キーの全体配置と該当する側面キーの位置を表示するようにしたことを主要な特徴とする。
【００１１】
そして本発明は、外部表示部に表示する側面キーの位置情報とともに、側面キーの操作態様を表示するようにしたことを主要な特徴とする。
【００１２】
更に本発明は、外部表示部に表示するソフトキーの操作態様として、長押しして使用するソフトキーと、短押しして使用するソフトキーとで異なる表示形態を表示するようにしたことを主要な特徴とする。
【発明の効果】
【００１３】
本発明の折り畳み式情報処理装置は、筐体を閉じた状態でも、外部表示部にソフトキー用アイコンを表示し、側面キーをソフトキーとして使用することにより、特定の機能を動作させるというような、より高度で複雑なキー入力ができる折り畳み式情報処理装置を提供することができる。
【００１４】
次に、本発明の折り畳み式情報処理装置は、外部表示部にソフトキー用アイコンとともに、ソフトキー用アイコンに対応する側面キーの位置を示す位置情報を表示するようにしたことにより、表示されたソフトキー用アイコンと対応する側面キーが離れているときであっても、対応する側面キーの位置情報を見ることによって、側面キーの全体的な配置と個別具体的な配置を一瞬にして把握することができ、迷わずにソフトキーとしての入力ができる折り畳み式情報処理装置を提供することができる。
【００１５】
また、本発明の折り畳み式情報処理装置は側面キーを複数設け、側面キーの位置を示す位置情報として、複数の側面キー全体の配置と個々の側面キーの位置を表示するようにしたことにより、側面キーの位置情報を見ることによって迷わずにソフトキーの入力ができる折り畳み式情報処理装置を提供することができる。
【００１６】
更に、本発明の折り畳み式情報処理装置は、外部表示部に側面キーの位置情報とともに側面キーの操作態様を表示している。例えば操作態様として、長押しして使用するソフトキーと、短押しして使用するソフトキーとで異なる表示形態を表示することによって、ソフトキーの操作方法について迷わずにキー入力ができる折り畳み式情報処理装置を提供することができる。
【発明を実施するための最良の形態】
【００１７】
本発明は、折り畳み式情報処理装置の筐体に、閉じた状態で見ることができる外部表示部と側面キーを設け、外部表示部にソフトキー用アイコンを表示し、側面キーをソフトキー用アイコンに対応するソフトキーとして用いるようにしている。そして、外部表示部にソフトキー用アイコンとともに、対応する側面キーの位置を示す位置情報を表示している。また、筐体に複数の側面キーを設け、側面キーの位置情報については側面キーの全体配置と該当する側面キーの位置を表示している。更に、ソフトキーとして使用する側面キーの操作態様についても表示し、長押しして使用するソフトキーと、短押しして使用するソフトキーとで異なる表示形態で表示して側面キーの操作方法についても容易に把握できるようにしている。
【実施例１】
【００１８】
図１に本発明に係る折り畳み式情報処理装置の第一の実施例として、折り畳み式携帯電話装置１００の筐体を開いた状態の外観図を示す。折り畳み式携帯電話装置１００は、第一の筐体１０１と第二の筐体１０２をヒンジ部１０３で連結して、第二の筐体１０２を第一の筐体１０１に対して上下方向に開閉可能に支承している。第一の筐体１０１には、テンキー１０４と、ソフトキー１０５、そして送話器として機能するマイクロフォン１０６が同一平面上に配置されている。第一の筐体１０１の手前側の側面には、側面キー１０７が３つ並べて設けてある。第二の筐体１０２には、液晶表示装置からなる表示部１０８と受話器として機能するスピーカー１０９が設けてある。折り畳み式携帯電話装置１００では、３つ並んだ側面キー１０７の中央の側面キーを所定時間以上、長押しすると電源が入るようにしている。電源がオンすると、表示部１０８に動作させることができる機能のメニューを表示し、その下方にソフトキー用アイコン１１０を表示するようにしている。第二の筐体１０２を開いた状態で、ソフトキー用アイコン１１０の最も近くにあるソフトキー１０５を押すことによって、表示されているソフトキー用アイコン１１０に該当する機能、ここでは「サブメニュー」、「選択」、「戻る」の内のいずれかの機能の動作が始まる。
【００１９】
図２に、第二の筐体１０２を閉じた時の折り畳み式携帯電話装置１００の外観図を示す。第二の筐体１０２の外表面には、外部表示部である第二の表示部１１１が設けてあり、折り畳み式携帯電話装置１００の電源が入っていると第二の表示部１１１に時刻とその下方にソフトキー用アイコン１１２を表示するようにしている。第二の筐体１０２を閉じた状態で、ソフトキー用アイコン１１２と側面キー１０７を位置的に一対一に対応させているので、動作させたいソフトキー用アイコン１１２に最も近い側面キー１０７を押すことによって、ソフトキー用アイコン１１２で特定される機能の動作を開始させることができる。
【００２０】
図３に、本発明に係る折り畳み式携帯電話装置１００の概略断面図を示す。第一の筐体１０１には、本体基板１１３を収納している。本体基板１１３には、テンキー１０４、ソフトキー１０５、マイクロフォン１０６を実装している。なお、本体基板１１３には、側面キー１０７も実装してキー入力部を本体基板１１３に集中的に実装している。側面キー１０７を筐体１０１の側面から突出させて、外から押せるようにしている。また、本体基板１１３には、ホール素子などを用いた開閉検出手段１１４を実装しており、第二の筐体１０２に設けた永久磁石１１８が接近したことを検出するようにしている。また、本体基板１１３には、無線制御手段１１５、全体制御手段１１６、音声処理部１１７等の回路手段を設けて携帯電話装置の機能を実現している。
【００２１】
第二の筐体１０２には、表示部１０８と、スピーカー１０９、開閉検出用の永久磁石１１８を第一の筐体１０１に対向する側に設けている。また、第二の筐体１０２の外側の表面には、外部表示部である第二の表示部１１１を設けている。表示部１０８と第二の表示部１１１は、コの字型のフレキシブルプリント基板１１９で接続しており、バックライト１２０を挟むように配置している。そして表示部１０８と第二の表示部１１１は、共通のドライバー回路１２１によって駆動するようにしている。これら、第二の筐体１０２のスピーカー１０９、表示部１０８、第二の表示部１１１、バックライト１２０は、先端が分岐したフレキシブル基板１２２で本体基板１１３に接続して、本体基板１１３に設けた全体制御手段１１５によって制御するようにしている。
【００２２】
図４に、本発明に係る折り畳み式携帯電話装置１００の概略ブロック図を示す。図４では、第一の筐体１０１と第二の筐体１０２をそれぞれ破線で示し、その中に収納されている各機能ブロックを示している。第一の筐体１０１には、無線制御手段１１５、全体制御手段１１６、音声処理部１１７、テンキー１０４、側面キー１０７、マイクロフォン１０６、開閉状態検出手段１１４、そして記憶手段１２７が収納されている。記憶手段１２７には、全体制御手段１１６の制御用プログラムの他、ソフトキー用アイコン、側面キーの位置情報のデータ、側面キーの操作態様等の各種データが記憶されている。側面キー１０７が所定時間以上、長押しされて、図示しない電池電源が全体制御手段１１６に供給されると、全体制御手段１１６は、無線制御手段１１５を動作させ、送信部１２４、受信部１２５とアンテナ１２６を用いて、図示しない携帯電話網の基地局と制御信号を間欠送受信して、着信待ち受け状態に入る。他の携帯電話装置から着信があると、音声処理部１１７がスピーカー１０９に着信音を出力させ、通話が始まるとマイクロフォン１０６からの音声を送信し、着信した通話相手の音声をスピーカー１０９から出力するようにしている。
【００２３】
第二の筐体１０２には、表示部１０８と外部表示部である第二の表示部１１１がドライバー回路１２１に接続した形で収納されている。そして第二の筐体１０２にはスピーカー１０９が収納されている。全体制御手段１１６は、開閉状態検出手段１１４により、第二の筐体１０２の開閉状態を検出して、ドライバー回路１２１により、第二の筐体１０２が開いていれば、表示部１０８にメニューやソフトキー用アイコンを表示し、第二の筐体１０２が閉じていれば、第二の表示部１１１に、時刻やソフトキー用アイコンを表示するようにしている。
【００２４】
図５に本発明に係る折り畳み式携帯電話装置１００のソフトキーの筐体の開閉状態に基づく制御手順をフローチャートとして示す。図５において、折り畳み式携帯電話装置１００に電源が入ると（ステップＳ１）、全体制御手段１１６は、開閉検出手段１１４により第二の筐体の開閉状態を検出する（ステップＳ２）。第二の筐体１０２が開いていると、選択できる機能のメニューを表示をするとともに、メニューの下方にソフトキー用アイコン１１０を表示する（ステップＳ３）。そして、第一の筐体１０１のソフトキー１０５が押されると（ステップＳ４）、押されたソフトキー１０５に対応するソフトキー用アイコン１１０に示されている機能の動作を開始する（ステップＳ５）。動作が終了すると、第二の筐体１０２の開閉状態を検出し、第二の筐体１０２が引き続き開いていると（ステップＳ２）、再び表示部１０８にメニューとソフトキー用アイコン１１０を表示し、以下前記と同様の動作を行う。
【００２５】
図５のステップＳ２で第二の筐体１０２が閉じていることが検出されると、表示部１０８の表示を消して、外部表示部である第二の表示部１１１に時刻を表示し、時刻の下方にソフトキー用アイコン１１２を表示する（ステップＳ６）。そして、側面キー１０７が押されると、押された側面キー１０７に対応するソフトキー用アイコン１１２に示されている機能の動作を開始する（ステップＳ５）。
【００２６】
以上述べたように本発明に係る折り畳み式携帯電話装置１００では、第二の筐体１０２を閉じたときに、第二の表示部１１１にソフトキー用アイコン１１２を表示し、側面キー１０７をソフトキーとして用いるので、第二の筐体を閉じたときに、従来ではできなかった所定の機能の動作を開始させるなどの複雑なキー入力を行うことができる。また、第一の筐体１０１内の本体基板１１３にテンキー１０４とともに、側面キー１０７を実装してソフトキーとして用いるので、既に示した特許文献１のように、第一の筐体のテンキー等のキー操作部とは別に第二の筐体にソフトキーおよびプリント基板を追加しなくて済むという利点もある。
【実施例２】
【００２７】
図６に、本発明に係る折り畳み式情報処理装置の第二の実施例である水平回転型の折り畳み式携帯電話装置２００の外観図を示す。折り畳み式携帯電話装置２００は、第一の筐体２０１と第二の筐体２０２を回転軸２０３で連結し、第二の筐体２０２を第一の筐体２０１の上で、矢印Ａのように、水平方向に回転して折り畳むことができるようにしている。第一の筐体２０１には、テンキー２０４、ソフトキー２０５、マイクロフォン２０６が同一面上に設けてあり、側面キー２０７を第一の筐体２０１の右側面に設けてある。側面キー２０７を第一の筐体の右側面に設けたのは、第一の筐体２０１の手前側の側面には充電用のコネクタ２１１を設けているため、手前側の側面に側面キー２０７を配置できないためである。第二の筐体２０２には、表示部２０８、スピーカー２０９を同一面上に設けている。折り畳み式携帯電話装置２００に電源が入ると、表示部２０８には、選択できる機能のメニューを表示し、メニューの下方にソフトキー用アイコン２１０を表示するようにしている。そして、第一の筐体２０１のソフトキー２０５を押すと、ソフトキー用アイコン２１０に対応する機能の動作を開始する。
【００２８】
図７に、本発明の第二の実施例の折り畳み式携帯電話装置２００の第二の筐体２０２を水平方向に回転して第一の筐体２０１の上に重ねて折り畳んだ状態の外観図を示す。第二の筐体２０２の表示部２０８には、時刻とソフトキー用アイコン２１２を表示するとともに、ソフトキー用アイコン２１２の隣に、側面キー２０７の全体配置と側面キーの位置情報２１３を表示している。折り畳み式携帯電話装置２００では、第一の筐体２０１の右側面に３つの側面キー２０７を縦方向に３つ並べているため、ソフトキー用アイコン２１２の横に、３つの四角い枠を描き、側面キー２０７の対応する位置の枠内を黒く塗って、全体配置と個々の側面キーの位置を示す位置情報２１３を表示している。図７では、３つの四角い枠の一番上の欄が黒く塗ってある位置表示は、３つ並んでいるソフトキー２０７の内、最上部にあるソフトキーを示し、３つの四角い枠の真ん中の欄が黒く塗ってある位置表示は、３つ並んでいる側面キー２０７の内、真ん中にある側面キーを示し、３つの四角い枠の一番下の欄が黒く塗ってある位置表示は、３つ並んでいる側面キー２０７の内、最下部にある側面キーを示している。折り畳み式携帯電話装置２００では、ソフトキー用アイコン２１２の近くに側面キー２０７が配置されていないが、操作者はソフトキー用アイコン２１２の隣に示された側面キーの位置情報２１３を見て、迷わずにソフトキーの入力を行うことができる。操作者が、第一の筐体２０１の側面キー２０７を押すと、押された側面キーに対応するソフトキー用アイコンの機能の所定動作が開始する。
【実施例３】
【００２９】
図８に、本発明の第三の実施例の折り畳み式情報処理装置３００の第二の表示部３１１にソフト用アイコンと位置情報、そして側面キーの操作態様を表示した表示状態図を示す。図８では、３つのソフトキー用アイコン３１２，３１３，３１４を表示し、それぞれのソフトキー用アイコンの横には、ソフトキーの全体配置を示す３つの枠と対応する側面キーの位置を黒く塗りつぶした位置情報３１５を示している。そして、その横には、ソフトキーの操作態様を示す上下矢印３１６、二重丸（◎）３１７、丸（○）３１８が表示されている。ここで、上下矢印３１５はソフトキーとなる側面キー３０７は上下に動かすキーであることを示し、二重丸３１７は所定時間以上、長押しするキーであることを示し、丸３１８は短い時間だけ短押しするキーであることを示している。このように、側面キー３０７の操作態様を表示したことによって、操作者は、ソフトキーとなる側面キー３０７をどのように操作すればよいかという情報を得て、迷わずにソフトキー入力をすることができるという効果がある。なお、図８では説明のために、側面キーの位置情報と操作態様をそれぞれ別の図形を表示するようにしているが、長押しキーについては位置情報の該当欄を赤く塗りつぶし、短押しキーについては位置情報の該当欄を黒く塗りつぶすようにして、図形と色彩を用いて位置情報と操作態様を一つの色つき図形で表示するようにしてもよい。
【実施例４】
【００３０】
図９は、本発明の第四の実施例の折り畳み式情報処理装置４００の第二の表示部４１１に表示したソフトキー用アイコンと位置情報の表示状態を示す。この第四の実施例では、ソフトキーとして用いる側面キーの位置を図形でなく、番号で示している。ソフトキー用アイコン４１２、４１３、４１４の右横の上段には、ソフトキーのある位置を示す数字「１」、「２」、「３」を表示し、下段には、キーの操作態様を示す略号を表示している。図９では、「Ｕ／Ｄ」はアップ・ダウンという上下に移動させる操作の意味であり、「Ｌ」は所定時間以上、長押しする操作を、「Ｓ」は短い時間だけ短押し操作することを示している。操作者は、第二の筐体が閉じた状態で、これらソフトキー用アイコンと、位置情報と操作態様を読み取り、迷わずソフトキーの入力を行うことができる。
【００３１】
なお、位置情報や操作態様の表示は上記実施例に限らず、他のアイコン、絵文字等を用いてもよく、黒点を付すようにしてもよい。また、折り畳み式情報処理装置の折り畳みの様式は、上記実施例で示さなかった他の折り畳み様式、例えば、第一の筐体の上を第二の筐体が上下方向にスライドする様式としても良い。
【００３２】
以上説明したように、本発明に係る折り畳み式情報処理装置は、ソフトキー用アイコンとともに、ソフトキー用アイコンに対応する側面キーの位置情報を示しているので、ソフトキー用アイコンの直ぐ近くに側面キーが無い場合であっても、側面キーの位置情報によって、側面キーの全体配置と対応する側面キーの位置が直感的に把握できるので、筐体を折り畳んだ状態でも、間違いなくソフトキーの入力をすることができるという効果がある。
【産業上の利用可能性】
【００３３】
本発明は、筐体を閉じた状態でも側面キーを使用してある程度複雑なキー入力をすることができる折り畳み式携帯電話装置をはじめ、ノートパソコン、ＰＤＡ等の折り畳み式情報処理装置に適用することができる。
【００３４】
また本発明は、表示されたソフトキー用アイコンの直ぐ近くに対応する側面キーが配置されていない折り畳み式情報処理装置について適用することができる。
【００３５】
そして本発明は、ソフトキーの操作態様が異なる場合、例えば長押しキーと短押しキーが混在している折り畳み式情報処理装置に適用することができる。
【図面の簡単な説明】
【００３６】
【図１】本発明の第一の実施例の折り畳み式携帯電話装置の外観図
【図２】本発明の第一の実施例の折り畳み式携帯電話装置の外観図
【図３】本発明の第一の実施例の折り畳み式携帯電話装置の断面図
【図４】本発明の第一の実施例の折り畳み式携帯電話装置のブロック図
【図５】本発明の第一の実施例の折り畳み式携帯電話装置の制御動作のフローチャート
【図６】本発明の第二の実施例の折り畳み式携帯電話装置の外観図
【図７】本発明の第二の実施例の折り畳み式携帯電話装置の外観図
【図８】本発明の第三の実施例の折り畳み式携帯電話装置の外部表示部にソフトキー用アイコンを表示した表示状態図
【図９】本発明の第四の実施例の折り畳み式携帯電話装置の外部表示部にソフトキー用アイコンを表示した表示状態図
【図１０】従来の折り畳み式携帯電話装置の外観図
【図１１】従来の折り畳み式携帯電話装置の外観図
【符号の説明】
【００３７】
１０１、２０１  第一の筐体
１０２、２０２  第二の筐体
１０３  ヒンジ部
２０３  回転軸
１０４、２０４  テンキー
１０５、２０５  ソフトキー
１０７、２０７  側面キー
１０８、２０８  表示部
１１０、１１２、２１０、２１２  ソフトキー用アイコン
１１１  第二の表示部
２１３  位置情報
３１６，３１７，３１８  操作態様
【図１】
2005110326.tif 000003
【図２】
2005110326.tif 000004
【図３】
2005110326.tif 000005
【図４】
2005110326.tif 000006
【図５】
2005110326.tif 000007
【図６】
2005110326.tif 000008
【図７】
2005110326.tif 000009
【図８】
2005110326.tif 000010
【図９】
2005110326.tif 000011
【図１０】
2005110326.tif 000012
【図１１】
2005110326.tif 000013